(57)【要約】【課題】  本発明は寝具を顧客が触れることができるように展示することを課題とする。【解決手段】  寝具展示台１０は、掛け布団（寝具）１２を展示するための４段の掛け布団展示棚１４〜１７を有し、最上段の掛け布団展示棚１４の上方には、天板１８が取り付けられている。掛け布団展示棚１４〜１７は、載置された掛け布団（寝具）１２の一部を引き出した状態で前面側より当該掛け布団１２の端部１２ａを垂れた状態に支持する寝具支持部材２６が設けられている。そのため、掛け布団展示棚１４〜１７に展示された掛け布団１２の上部から引き出された端部１２ａを横架部材２８に掛けることができので、顧客は店員を呼ばなくても自ら掛け布団１２の端部１２ａに触れてみて商品の品質を直接確かめることができる。【選択図】  図１
2005245954.tif 000002
【特許請求の範囲】
【請求項１】
異なる高さ位置に複数の棚を有し、前記複数の棚の夫々に種類の異なる寝具を展示するように構成された寝具展示台において、
前記棚に載置された寝具の一部を引き出した状態で前面側より当該寝具を垂れた状態に支持する寝具支持部材を設けたことを特徴とする寝具展示台。
【請求項２】
前記寝具支持部材は、
前記棚の前端と平行に配置された横架部材と、
該横架部材を前記棚の前端より所定距離離間した位置に支持する支持アームと、
を備えたことを特徴とする請求項１に記載の寝具展示台。
【請求項３】
前記横架部材は、前記棚に折り畳まれた状態で載置された寝具の上部から引き出された部分をガイドする高さ位置に横架されたことを特徴とする請求項２に記載の寝具展示台。
【請求項４】
前記横架部材は、円柱形状に形成されたことを特徴とする請求項２または３に記載の寝具展示台。
【請求項５】
前記横架部材は、前記寝具の商品説明を記載したプレートを保持するプレート保持部を有することを特徴とする請求項２乃至４の何れかに記載の寝具展示台。
【請求項６】
前記棚に、下段の棚に載置された寝具を照らす照明器具を設けたことを特徴とする請求項１乃至３に記載の寝具展示台。
【請求項７】
異なる高さ位置に複数の棚を有し、前記複数の棚の夫々に種類の異なる寝具を展示する寝具展示方法において、
前記棚に載置された寝具の一部を引き出した状態で前面側より当該寝具を垂れた状態に支持することを特徴とする寝具展示方法。
【発明の詳細な説明】
【技術分野】
【０００１】
本発明は寝具展示台及び寝具展示方法に係り、特に複数の棚の夫々に種類の異なる寝具を展示するように構成された寝具展示台及び寝具展示方法に関する。
【背景技術】
【０００２】
例えば、デパート等の寝具売り場には、多数の寝具（布団など）を効率よく収納できる寝具展示台が設置されている。この種の寝具展示台としては、複数の棚が上下に並設された構成であり、各棚に種類の異なる寝具を折り畳んだ状態で載置するようになっている（例えば、特許文献１参照）。
【０００３】
そして、店員は、顧客から展示された寝具を見たいという要望があると、棚に載置された寝具の中から希望のものを別のテーブルに運搬し、テーブル上に寝具を置いてみせることになる。また、顧客から別の寝具を見たいという要望があると、テーブル上の寝具を元の棚に戻した後に別の寝具を棚から下ろしてテーブル上に置くといった作業を繰り返すことになる。
【特許文献１】特開平９−３０８５５４号公報
【発明の開示】
【発明が解決しようとする課題】
【０００４】
従来の寝具展示台は、上記のように寝具を折り畳んだ状態で載置される棚が複数段設けられた構成であるので、多数の寝具（布団など）を効率よく展示できるものの、顧客が希望する商品（寝具）を実際に手に触れて品質を確認したい場合には、店員を呼んで棚に収納された寝具を棚から下ろしてもらう必要があり、店員を呼ばずに棚に置かれた寝具を自由にみることができないという問題があった。
【０００５】
そのため、顧客が購入することを迷っている場合には、店員を呼ぶことをためらってしまい、希望する商品（寝具）が棚に置かれていても、直接商品に触れることができず、何となくみるだけになってしまい、販売の促進を図ることが難しかった。
【０００６】
また、店員側では、顧客から呼ばれると、その棚に収納された寝具を運搬しなければならず、余計な時間と労力を要していた。特に、店員が接客中であるときは、他の顧客が来ても応対することができず、他の顧客を待たせることになり、急ぐ顧客であると、待ちきれない場合もあるので、販売のチャンスを逃してしまうおそれがあった。
【０００７】
そこで、本発明は上記課題を解決した寝具展示台及び寝具展示方法を提供することを目的とする。
【課題を解決するための手段】
【０００８】
請求項１記載の発明は、異なる高さ位置に複数の棚を有し、前記複数の棚の夫々に種類の異なる寝具を展示するように構成された寝具展示台において、前記棚に載置された寝具の一部を引き出した状態で前面側より当該寝具を垂れた状態に支持する寝具支持部材を設けたことを特徴とする。
【０００９】
請求項２記載の発明は、前記寝具支持部材が、前記棚の前端と平行に配置された横架部材と、該横架部材を前記棚の前端より所定距離離間した位置に支持する支持アームと、を備えたことを特徴とする。
【００１０】
請求項３記載の発明は、前記横架部材が、前記棚に折り畳まれた状態で載置された寝具の上部から引き出された部分をガイドする高さ位置に横架されたことを特徴とする。
【００１１】
請求項４記載の発明は、前記横架部材が、円柱形状に形成されたことを特徴とする。
【００１２】
請求項５記載の発明は、前記横架部材が、前記寝具の商品説明を記載したプレートを保持するプレート保持部を有することを特徴とする。
【００１３】
請求項６記載の発明は、前記棚に下段の棚に載置された寝具を照らす照明器具を設けたことを特徴とする。
【００１４】
請求項７記載の発明は、異なる高さ位置に複数の棚を有し、前記複数の棚の夫々に種類の異なる寝具を展示する寝具展示方法において、前記棚に載置された寝具の一部を引き出した状態で前面側より当該寝具を垂れた状態に支持することを特徴とする。
【発明の効果】
【００１５】
本発明によれば、棚の前端と平行に配置された寝具支持部材により、棚に載置された寝具の一部を引き出した状態で前面側より当該寝具を垂れた状態に支持するため、顧客が棚に載置された寝具に直接触れることが可能になり、その都度店員を呼ばなくて済むので、顧客も店員に気を使うことなく展示された任意の寝具を自由に見て触れることができる。さらに、顧客に呼ばれた店員が棚から寝具を下ろす作業がなくなるため、店員の負担も軽減できると共に、寝具の上げ下ろし作業から開放された店員が接客に専念できるので、接客による販売促進をより一層高めることができる。
【発明を実施するための最良の形態】
【００１６】
以下、図面と共に本発明の一実施例について説明する。
【実施例１】
【００１７】
図１は本発明になる寝具展示台の一実施例を示す斜視図である。図２は寝具展示台の正面図である。図３は寝具展示台の側面図である。図４は寝具展示台の平面図である。
図１乃至図４に示されるように、寝具展示台１０は、掛け布団（寝具）１２を展示するための４段の掛け布団展示棚１４〜１７を有し、最上段の掛け布団展示棚１４の上方には、天板１８が取り付けられている。また、最下段の掛け布団展示棚１７の下方には、シーツや布団カバーなどの付属品や掛け布団の関連商品などを展示するための下方棚１９が設けられている。
【００１８】
さらに、寝具展示台１０は、掛け布団展示棚１４〜１７及び天板１８、下方棚１９の左右両側には、上下方向に延在形成された側板２０,２１が取り付けられており、背面側には背板２２が取り付けられている。従って、寝具展示台１０は、前面側が掛け布団展示棚１４〜１７に展示された商品を見れるように開放されており、側板２０,２１及び背板２２が掛け布団展示棚１４〜１７を支持する柱として機能し、天板１８、下方棚１９が側板２０,２１及び背板２２を連結する梁として機能するように設けられている。
掛け布団展示棚１４〜１７及び天板１８、下方棚１９、側板２０,２１、背板２２は、夫々木製（例えば、ナラ材を染色塗装ウレタン仕上げ）であり、夫々設置される売り場の設置スペースに応じた所定寸法に形成されている。
【００１９】
掛け布団展示棚１４〜１７は、側板２０,２１の内側に設けられた高さ位置調整部材２４により左右両端を支持される。この高さ位置調整部材２４は、上下方向に延在形成されており、且つ所定の間隔ごとに掛け布団展示棚１４〜１７の端部に結合される金属ピンまたはフックが係止される係止部（図示せず）を有する。
【００２０】
従って、掛け布団展示棚１４〜１７は、展示される掛け布団１２の厚さに応じた任意の高さ位置に支持されるように調整可能に取り付けられている。そして、掛け布団展示棚１４〜１７は、載置された掛け布団（寝具）１２の一部を引き出した状態で前面側より当該掛け布団（寝具）１２の端部１２ａを垂れた状態に支持する寝具支持部材２６が設けられている。
【００２１】
この寝具支持部材２６は、掛け布団展示棚１４〜１７の前端と平行に配置された横架部材２８と、横架部材２８の両端を棚前端より前方に所定距離離間した位置に支持する支持アーム３０とを有する。横架部材２８は、側板２０,２１に固定された金属製の支持アーム３０により両端が支持されており、回転しないように固定されている。また、支持アーム３０は、予め突出長さ及び突出角度の異なるものを複数種用意することにより、各売り場毎に応じた任意の寸法、任意の角度に設定したものを取り付けることが可能になる。
【００２２】
そして、横架部材２８は、木製（例えば、間伐材の表面をウレタンクリア塗装）であり、掛け布団展示棚１４〜１７に折り畳まれた状態で載置された掛け布団１２の上部から引き出された端部１２ａをガイドする高さ位置に横架されている。また、横架部材２８は、直径が１０ｃｍの円柱形状に形成されており、外周に掛け布団１２の上部から引き出された端部１２ａが前方に突出した状態で保持されるように設けられている。
【００２３】
また、横架部材２８は、掛け布団１２の横幅よりも全長が長く形成されており、掛け布団１２が係止される布団展示領域２８ａと、布団展示領域２８ａに隣接するように形成されたプレート支持領域２８ｂとを有する。プレート支持領域２８ｂには、掛け布団１２の商品説明を記載したプレート３２を保持するプレート保持部２８ｃを有する。このプレート３２は、商品名、材質、製造会社名などの掛け布団１２に関する情報が記載された透明アクリル製であり、プレート保持部２８ｃにより起立した状態に保持される。
【００２４】
このように、４段に重ねられた掛け布団展示棚１４〜１７は、前側に突出した寝具支持部材２６を有するため、掛け布団展示棚１４〜１７に展示された掛け布団１２の上部から引き出された端部１２ａを横架部材２８に掛けることができ、顧客が店員を呼ばなくても自ら掛け布団１２の端部１２ａに触れてみて商品の品質を直接確かめることができる。そのため、顧客は、掛け布団展示棚１４〜１７に展示された掛け布団１２を下見したい場合には、店員に気を使うことなく掛け布団１２の品質を確認することができる。
【００２５】
また、店員は、掛け布団展示棚１４〜１７に展示された掛け布団１２を確認した顧客が質問や購入、あるいは贈答するなどの用件がある場合に顧客に対する接客を行うことになり、従来のように棚に展示された掛け布団１２の上げ下ろし作業を行う必要がなくなり、店員の負担も軽減できる。これにより、店員は、掛け布団１２の上げ下ろし作業から開放されると共に、購入を決めた顧客に対する接客に専念できるので、販売促進をより一層高めることができる。
図３に示されるように、掛け布団展示棚１４〜１７の下面及び天板１８の下面には、蛍光灯などの照明器具３４が取り付けられている。そのため、掛け布団展示棚１４〜１７に展示された掛け布団１２及び下方棚１９に載置された商品に対して天井に設けられた照明灯からの明かりが到達しなくても、顧客は照明器具３４からの明かりにより掛け布団１２及び下方棚１９に展示された商品を十分に視認することが可能になる。
【００２６】
尚、上記実施例では、横架部材２８を円柱形状にしたものを一例として挙げたが、これに限らず、例えば、円柱の代わりに六角形あるいは八角形としても良いし、あるいは掛け布団１２が当接する円弧形状に湾曲した形状としても良い。
【００２７】
また、横架部材２８を支持する支持アーム３０は、側板２０,２１に固定した取付構造としても良いし、あるいは側板側板２０,２１に対して回動可能に取り付け角度を調整できるような構成としても良いのは勿論である。
【図面の簡単な説明】
【００２８】
【図１】本発明になる寝具展示台の一実施例を示す斜視図である。
【図２】寝具展示台の正面図である。
【図３】寝具展示台の側面図である。
【図４】寝具展示台の平面図である。
【符号の説明】
【００２９】
１０  寝具展示台
１２  掛け布団
１４〜１７  掛け布団展示棚
２４  高さ位置調整部材
２６  寝具支持部材
２８  横架部材
３０  支持アーム
２０,２１  側板
３２  プレート
３４  照明器具
【図１】
2005245954.tif 000003
【図２】
2005245954.tif 000004
【図３】
2005245954.tif 000005
【図４】
2005245954.tif 000006